【手続補正書】
【提出日】平成17年8月11日(2005.8.11)
【手続補正１】
【補正対象書類名】明細書
【補正対象項目名】特許請求の範囲
【補正方法】変更
【補正の内容】
【特許請求の範囲】
【請求項１】  ユーザに割り当てられた第１ネットワーク要素に対する接続を確立し又は変更するための方法において、上記接続は、上記第１ネットワーク要素と第２ネットワーク要素との間のコールに対して確立され又は変更され、上記接続は、ネットワークに配置された第３ネットワーク要素により確立され、上記第１ネットワーク要素は、上記接続をアクチベートし又は変更するための要求を発生し、上記第３ネットワーク要素は、接続をアクチベートし又は変更するための要求に関する情報を受信したときに、要求された形式の接続を確立するための許可を要求する許可要求を第４ネットワーク要素へ送信し、該許可要求は、上記第１ネットワーク要素、上記第２ネットワーク要素、確立されるべき接続又は接続形式のうちの少なくとも１つを指定し、上記第４ネットワーク要素は、接続又は接続形式を確立するための許可を指定する応答を上記第３ネットワーク要素へ返送し、上記接続の確立又は変更は、この応答に基づいて制御されることを特徴とする方法。
【請求項２】  ユーザに割り当てられた第１ネットワーク要素に対する接続を確立するための方法において、上記接続は、ネットワーク要素に配置された第３ネットワーク要素により確立され、上記接続は、上記第１ネットワーク要素と第２ネットワーク要素との間のコールに対して確立され又は変更され、上記第１ネットワーク要素は、上記接続をアクチベートするための要求を発生し、上記第３ネットワーク要素は、接続をアクチベートするための要求に関する情報を受信したときに、接続パラメータのチェックを要求するチェック要求を第４ネットワーク要素へ送信し、該チェック要求は、確立されるべき接続又は接続形式のうちの少なくとも１つを指定し、上記第４ネットワーク要素は、上記チェックを行い、チェック結果を指定する応答を上記第３ネットワーク要素へ返送し、上記接続の確立は、この応答に基づいて制御されることを特徴とする方法。
【請求項３】  上記第３ネットワーク要素は、ゲートウェイネットワーク要素およびゲートウェイＧＰＲＳサポートノードである請求項１または２に記載の方法。
【請求項４】  上記第４ネットワーク要素は、コール状態制御ファンクション（ＣＳＣＦ）である請求項１または２に記載の方法。
【請求項５】  上記第４ネットワーク要素は、ポリシー制御ファンクション（ＰＣＦ）である請求項１または２に記載の方法。
【請求項６】  上記第４ネットワーク要素は、コール処理サーバー（ＣＰＳ）である請求項１または２に記載の方法。
【請求項７】  上記第４ネットワーク要素は、その少なくとも一部が、上記第３ネットワーク要素の一部分として実施される請求項１または２に記載の方法。
【請求項８】  上記許可要求は、第１ネットワーク要素に対するＰＤＰコンテクストをアクチベート又は変更するための許可を要求する要求である請求項１に記載の方法。
【請求項９】  上記許可要求は、ＩＭＳＩ／ＭＳＩＳＤＮ、ＰＤＰアドレス、要求されたＱｏＳまたは上記第２ネットワーク要素のアドレスのうちの少なくとも１つを含む請求項１に記載の方法。
【請求項１０】  上記チェック要求は、少なくとも１つの接続パラメータのチェックを要求する要求である請求項２に記載の方法。
【請求項１１】  上記応答は、コール特性、好ましくは、受け入れられたＱｏＳ値、及び／又は上記第２ネットワーク要素に関する受け入れられた情報、及び／又は上記接続が通常のコールであるか非常コールであるかを示す指示を示す請求項１に記載の方法。
【請求項１２】  上記第１ネットワーク要素は、コールを確立するよう試みるときに第５ネットワーク要素をアドレスし、該第５ネットワーク要素は、少なくとも１つのコールパラメータを特徴付ける認可メッセージを上記第４ネットワーク要素に送信する請求項１または２に記載の方法。
【請求項１３】  上記コールパラメータは、ＩＭＳＩ、ＭＳＩＳＤＮ、上記第１ネットワーク要素のＩＰアドレス、ネゴシエーションされたＱｏＳ、被呼者搬送アドレスのうちの少なくとも１つである請求項１２に記載の方法。
【請求項１４】  上記第４ネットワーク要素は、認可確認メッセージを上記第５ネットワーク要素へ送信する請求項１２に記載の方法。
【請求項１５】  上記第４ネットワーク要素は、上記認可メッセージの内容に基づいて上記第３ネットワーク要素へのその応答を形成する請求項１１に記載の方法。
【請求項１６】  上記第１ネットワーク要素に対して記憶される契約情報は、上記第１ネットワーク要素と上記第３ネットワーク要素との間に接続を確立するときに上記第３ネットワーク要素から上記第４ネットワーク要素へ要求を送信する必要性を定義するパラメータを含む請求項１に記載の方法。
【請求項１７】  上記パラメータは、上記第１ネットワーク要素と上記第２ネットワーク要素との間に接続を確立するときに上記第３ネットワーク要素へ送信され、上記第３ネットワーク要素は、このパラメータの内容に基づいて上記第４ネットワーク要素へ要求を送信する必要性を判断する請求項１６に記載の方法。
【請求項１８】  上記パラメータが、上記第３ネットワーク要素から上記第４ネットワーク要素へ要求を送信する必要がないことを指示するときには、上記第３ネットワーク要素は、このような要求を送信せず、そして上記第１ネットワーク要素と上記第３ネットワーク要素との間の接続の確立を行う請求項１７に記載の方法。
【請求項１９】  別のネットワーク要素へ確立を要求するネットワーク要素を識別するか、又はコールを識別するための共通の識別子が、ＩＰベースネットワークと、ＧＰＲＳ又はＵＭＴＳベースネットワークの両方に設けられる請求項１または２に記載の方法。
【請求項２０】  コールへ接続をマッピングするための共通の識別子が設けられて使用され、該共通の識別子は、上記第１ネットワーク要素と上記第３ネットワーク要素との間に接続を確立するときに、上記第３ネットワーク要素へ送信される請求項１または２に記載の方法。
【請求項２１】  上記共通の識別子は、ＩＭＳＩ／ＭＳＩＳＤＮ、ＭＳ  ＩＰアドレス、ＭＳポート番号、ピアＩＰアドレス、ピアポート番号のうちの少なくとも１つである請求項１９または２０に記載の方法。
【請求項２２】  上記第４ネットワーク要素のアドレスは、上記第１ネットワーク要素に対して記憶される契約情報に含まれ、該アドレスは、上記第１ネットワーク要素と上記第３ネットワーク要素との間に接続を確立するときに、上記第３ネットワーク要素へ送信される請求項１または２に記載の方法。
【請求項２３】  上記第４ネットワーク要素のアドレスは、上記第３ネットワーク要素に対して、また上記第５ネットワーク要素に対して構成される請求項１または２または１２に記載の方法。
【請求項２４】  上記接続に対して課金するための課金記録は、上記接続パラメータのチェックの結果を考慮して与えられる請求項２に記載の方法。
【請求項２５】  上記接続パラメータは、要求された又は受け入れられたＱｏＳを指示し、シグナリング及びユーザトラフィックの両方に与えられるＱｏＳ情報がチェックされ、そしてそのチェック結果を考慮して課金記録が与えられる請求項２に記載の方法。
【請求項２６】  上記ＱｏＳチェックは、チェック要求に応答して行われる請求項２５に記載の方法。
【請求項２７】  上記接続パラメータは、コール特性、好ましくは、受け入れられるＱｏＳ値、及び／又は上記第２ネットワーク要素に関する情報、及び／又は上記接続が通常のコールであるか非常コールであるかを示す指示を示す請求項２に記載の方法。
【請求項２８】  上記接続は、ＧＰＲＳ／ＵＭＴＳベースネットワーク及びＩＰベースネットワークを含み、そして該接続に対して両ネットワークに与えられるＱｏＳ値がチェックされて比較され、課金関係情報が得られる請求項１または２に記載の方法。
【請求項２９】  課金関連パラメータをチェックするためのチェック要求は、コール確立要求を送信するときに上記第１ネットワーク要素から上記第４又は別のネットワーク要素へ送信される請求項１または２に記載の方法。
【請求項３０】  ユーザに割り当てられた第１ネットワーク要素に対する接続を確立し又は変更するためのシステムにおいて、上記接続は、上記第１ネットワーク要素と第２ネットワーク要素との間のコールに対して確立され又は変更され、上記接続は、ネットワークに配置された第３ネットワーク要素により確立され、上記第１ネットワーク要素は、上記接続をアクチベートし又は変更するための要求を発生し、上記第３ネットワーク要素は、接続をアクチベートし又は変更するための要求に関する情報を受信したときに、要求された形式の接続を確立するための許可を要求する許可要求を第４ネットワーク要素へ送信し、該許可要求は、上記第１ネットワーク要素、上記第２ネットワーク要素、確立されるべき接続又は接続形式のうちの少なくとも１つを指定し、記第４ネットワーク要素は、接続又は接続形式を確立するための許可を指定する応答を上記第３ネットワーク要素へ返送し、上記接続の確立又は変更は、この応答に基づいて制御されることを特徴とするシステム。
【請求項３１】  ユーザに割り当てられた第１ネットワーク要素に対する接続を確立するためのシステムにおいて、上記接続は、ネットワーク要素に配置された第３ネットワーク要素により確立され、上記接続は、上記第１ネットワーク要素と第２ネットワーク要素との間のコールに対して確立され又は変更され、上記第１ネットワーク要素は、上記接続をアクチベートするための要求を発生し、上記第３ネットワーク要素は、接続をアクチベートするための要求に関する情報を受信したときに、接続パラメータのチェックを要求するチェック要求を第４ネットワーク要素へ送信し、該チェック要求は、確立されるべき接続又は接続形式のうちの少なくとも１つを指定し、上記第４ネットワーク要素は、上記チェックを行い、チェック結果を指定する応答を上記第３ネットワーク要素へ返送し、上記接続の確立は、この応答に基づいて制御されることを特徴とするシステム。
【請求項３２】  上記第３ネットワーク要素は、ゲートウェイネットワーク要素およびゲートウェイＧＰＲＳサポートノードである請求項３０または３１に記載のシステム。
【請求項３３】  上記第４ネットワーク要素は、コール状態制御ファンクション（ＣＳＣＦ）である請求項３０または３１に記載のシステム。
【請求項３４】  上記第４ネットワーク要素は、ポリシー制御ファンクション（ＰＣＦ）である請求項３０または３１に記載のシステム。
【請求項３５】  上記第４ネットワーク要素は、コール処理サーバー（ＣＰＳ）である請求項３０または３１に記載のシステム。
【請求項３６】  上記第４ネットワーク要素は、その少なくとも一部が、上記第３ネットワーク要素の一部分として実施される請求項３０または３１に記載のシステム。
【請求項３７】  上記許可要求は、第１ネットワーク要素に対するＰＤＰコンテクストをアクチベート又は変更するための許可を要求する要求である請求項３０に記載のシステム。
【請求項３８】  上記許可要求は、ＩＭＳＩ／ＭＳＩＳＤＮ、ＰＤＰアドレス、要求されたＱｏＳまたは上記第２ネットワーク要素のアドレスのうちの少なくとも１つを含む請求項３０に記載のシステム。
【請求項３９】  上記チェック要求は、少なくとも１つの接続パラメータのチェックを要求する要求である請求項３１に記載のシステム。
【請求項４０】  上記応答は、コール特性、好ましくは、受け入れられたＱｏＳ値、及び／又は上記第２ネットワーク要素に関する受け入れられた情報、及び／又は上記接続が通常のコールであるか非常コールであるかを示す指示を示す請求項３０に記載のシステム。
【請求項４１】  上記第１ネットワーク要素は、コールを確立するよう試みるときに第５ネットワーク要素をアドレスし、該第５ネットワーク要素は、少なくとも１つのコールパラメータを特徴付ける認可メッセージを上記第４ネットワーク要素に送信する請求項３０または３１に記載のシステム。
【請求項４２】  上記コールパラメータは、ＩＭＳＩ、ＭＳＩＳＤＮ、上記第１ネットワーク要素のＩＰアドレス、ネゴシエーションされたＱｏＳ、被呼者搬送アドレスのうちの少なくとも１つである請求項４１に記載のシステム。
【請求項４３】  上記第４ネットワーク要素は、認可確認メッセージを上記第５ネットワーク要素へ送信する請求項４１に記載のシステム。
【請求項４４】  上記第４ネットワーク要素は、上記認可メッセージの内容に基づいて上記第３ネットワーク要素へのその応答を形成する請求項４０に記載のシステム。
【請求項４５】  上記第１ネットワーク要素に対して記憶される契約情報は、上記第１ネットワーク要素と上記第３ネットワーク要素との間に接続を確立するときに上記第３ネットワーク要素から上記第４ネットワーク要素へ要求を送信する必要性を定義するパラメータを含む請求項３０に記載のシステム。
【請求項４６】  上記パラメータは、上記第１ネットワーク要素と上記第２ネットワーク要素との間に接続を確立するときに上記第３ネットワーク要素へ送信され、上記第３ネットワーク要素は、このパラメータの内容に基づいて上記第４ネットワーク要素へ要求を送信する必要性を判断する請求項４５に記載のシステム。
【請求項４７】  上記パラメータが、上記第３ネットワーク要素から上記第４ネットワーク要素へ要求を送信する必要がないことを指示するときには、上記第３ネットワーク要素は、このような要求を送信せず、そして上記第１ネットワーク要素と上記第３ネットワーク要素との間の接続の確立を行う請求項４６に記載のシステム。
【請求項４８】  別のネットワーク要素へ確立を要求するネットワーク要素を識別するか、又はコールを識別するための共通の識別子が、ＩＰベースネットワークと、ＧＰＲＳ又はＵＭＴＳベースネットワークの両方に設けられる請求項３０または３１に記載のシステム。
【請求項４９】  コールへ接続をマッピングするための共通の識別子が設けられて使用され、該共通の識別子は、上記第１ネットワーク要素と上記第３ネットワーク要素との間に接続を確立するときに、上記第３ネットワーク要素へ送信される請求項３０または３１に記載のシステム。
【請求項５０】  上記共通の識別子は、ＩＭＳＩ／ＭＳＩＳＤＮ、ＭＳ  ＩＰアドレス、ＭＳポート番号、ピアＩＰアドレス、ピアポート番号のうちの少なくとも１つである請求項４８または４９に記載のシステム。
【請求項５１】  上記第４ネットワーク要素のアドレスは、上記第１ネットワーク要素に対して記憶される契約情報に含まれ、該アドレスは、上記第１ネットワーク要素と上記第３ネットワーク要素との間に接続を確立するときに、上記第３ネットワーク要素へ送信される請求項３０または３１に記載のシステム。
【請求項５２】  上記第４ネットワーク要素のアドレスは、上記第３ネットワーク要素に対して、また上記第５ネットワーク要素に対して構成される請求項３０または３１または４１記載のシステム。
【請求項５３】  上記接続に対して課金するための課金記録は、上記接続パラメータのチェックの結果を考慮して与えられる請求項３１に記載のシステム。
【請求項５４】  上記接続パラメータは、要求された又は受け入れられたＱｏＳを指示し、シグナリング及びユーザトラフィックの両方に与えられるＱｏＳ情報がチェックされ、そしてそのチェック結果を考慮して課金記録が与えられる請求項３１に記載のシステム。
【請求項５５】  上記ＱｏＳチェックは、チェック要求に応答して行われる請求項５４に記載のシステム。
【請求項５６】  上記接続パラメータは、コール特性、好ましくは、受け入れられるＱｏＳ値、及び／又は上記第２ネットワーク要素に関する情報、及び／又は上記接続が通常のコールであるか非常コールであるかを示す指示を示す請求項３１に記載のシステム。
【請求項５７】  上記接続は、ＧＰＲＳ／ＵＭＴＳベースネットワーク及びＩＰベースネットワークを含み、そして該接続に対して両ネットワークに与えられるＱｏＳ値がチェックされて比較され、課金関係情報が得られる請求項３０または３１に記載のシステム。
【請求項５８】  課金関連パラメータをチェックするためのチェック要求は、コール確立要求を送信するときに上記第１ネットワーク要素から上記第４又は別のネットワーク要素へ送信される請求項３０または３１に記載のシステム。
【請求項５９】  ターミナルへの通信チャンネルを確立するための第１通信ネットワーク層と、上記通信チャンネル上で行われるセッションを確立するための第２通信ネットワーク層とを備えた２層通信ネットワークにおいて接続を確立するための方法であって、識別子でセッションを確立し、上記識別子で通信チャンネルを確立し、上記識別子を使用して上記セッションにより上記通信チャンネルを認可する、という段階を備えた方法。
【請求項６０】  上記認可段階は、上記第１通信ネットワーク層におけるネットワーク要素（例えば、ＧＧＳＮ）が通信チャンネル確立時に上記認可の要求を開始し、上記第２通信ネットワーク層におけるネットワーク要素（例えば、ＣＳＣＦ）が上記認可を実行する請求項５９に記載の方法。
【請求項６１】  上記第１通信ネットワーク層は、ＧＰＲＳ／ＵＭＴＳ層であり、そして上記第２通信ネットワーク層は、ＩＰマルチメディアサブシステムである請求項５９または６０に記載の方法。
【請求項６２】  上記ターミナルは、ユーザ装置又は移動ステーションである請求項５９または６０または６１に記載の方法。
【請求項６３】  ターミナルへの通信チャンネルを確立するための第１通信ネットワーク層と、上記通信チャンネル上で行われるセッションを確立するための第２通信ネットワーク層とを備えた２層通信ネットワークにおいて接続を確立するためのシステムであって、このシステムは、識別子でセッションを確立し、上記識別子で通信チャンネルを確立し、上記識別子を使用して上記セッションにより上記通信チャンネルを認可するように構成されたシステム。
【請求項６４】  上記認可を実行するために、上記第１通信ネットワーク層におけるネットワーク要素が通信チャンネル確立時に上記認可の要求を開始し、上記第２通信ネットワーク層におけるネットワーク要素が上記認可を実行する請求項６３に記載のシステム。
【請求項６５】  上記第１通信ネットワーク層は、ＧＰＲＳ／ＵＭＴＳ層であり、そして上記第２通信ネットワーク層は、ＩＰマルチメディアサブシステムである請求項６３または６４に記載のシステム。
【請求項６６】  上記ターミナルは、ユーザ装置又は移動ステーションである請求項６３または６４または６５に記載のシステム。
【請求項６７】  ユーザに割り当てられた第１ネットワーク要素と第３ネットワーク要素との間の接続を確立しまたは変更するのに許可を要求するための方法であって、上記接続は、上記第１ネットワーク要素と第２ネットワーク要素との間のコールに対して確立されまたは変更され、上記接続は、上記ネットワークのうちの１つに配置された上記第３ネットワーク要素により確立されるような方法において、接続をアクチベートしまたは変更するための要求に関する情報を受信するときに、要求された形式の接続を確立するための許可を要求する許可要求を上記第３ネットワーク要素により上記第４ネットワーク要素へ送信し、該許可要求は、上記第１ネットワーク要素、上記第２ネットワーク要素、確立されるべき接続又は接続形式のうちの少なくとも１つを指定し、上記第４ネットワーク要素からの接続又は接続形式を確立するための許可を指定する返送応答を上記第３ネットワーク要素により受信し、上記接続の確立又は変更が上記応答に基いて制御されることを特徴とする方法。
【請求項６８】  ユーザに割り当てられた第１ネットワーク要素に対する接続を確立または変更するのに許可を要求するための方法であって、上記接続は、上記第１ネットワーク要素と第２ネットワーク要素との間のコールに対して確立されまたは変更され、上記接続は、ネットワークに配置された第３ネットワーク要素により確立されるような方法において、要求された形式の接続を確立するための許可を要求する許可要求を第４ネットワーク要素により受信し、該許可要求は、上記第１ネットワーク要素、上記第２ネットワーク要素、確立されるべき接続又は接続形式のうちの少なくとも１つを指定し、接続又は接続形式を確立するための許可を指定する応答を上記第４ネットワーク要素から上記第３ネットワーク要素へ送信し、上記接続の確立又は変更が上記応答に基いて制御されることを特徴とする方法。
【請求項６９】  ユーザに割り当てられた第１ネットワーク要素に対する接続を確立または変更するための方法またはシステムに使用するに適したサポートノードであって、上記接続は、上記第１ネットワーク要素と第２ネットワーク要素との間のコールに対して確立されまたは変更され、上記接続は、該サポートノードにより確立されるようなサポートノードにおいて、サポートノード要素は、接続をアクチベートし又は変更するための要求に関する情報を受信するときに、要求された形式の接続を確立するための許可を要求する許可要求を別のネットワーク要素へ送信し、該許可要求は、上記第１ネットワーク要素、上記第２ネットワーク要素、確立されるべき接続又は接続形式のうちの少なくとも１つを指定し、該サポートノードは、接続又は接続形式を確立するための許可を指定する応答を上記別のネットワーク要素から受信するように構成されていることを特徴とするサポートノード。
【請求項７０】  ユーザに割り当てられた第１ネットワーク要素に対する接続を確立または変更するための方法またはシステムに使用するに適したサポートノードであって、上記接続は、上記第１ネットワーク要素と第２ネットワーク要素との間のコールに対して確立されまたは変更され、上記接続は、該サポートノードにより確立されるようなサポートノードにおいて、サポートノード要素は、接続をアクチベートし又は変更するための要求に関する情報を受信するときに、接続パラメータのチェックを要求するチェック要求を別のネットワークへ送信し、該チェック要求は、確立されるべき接続および接続形式のうちの少なくとも１つを指定し、該サポートノードは、接続または接続形式を確立するのに使用するチェック結果を指定する応答を上記別のネットワーク要素から受信するように構成されていることを特徴とするサポートノード。
【請求項７１】  上記応答に基づいて上記接続の確立または変更を制御するように構成されている請求項６９または７０に記載のサポートノード。
【請求項７２】  ゲートウェイネットワーク要素である請求項７０または７１に記載のサポートノード。
【請求項７３】  ゲートウェイＧＰＲＳサポートノードである請求項７０または７１に記載のサポートノード。
【請求項７４】  ユーザに割り当てられた第１ネットワーク要素に対する接続を確立または変更するための方法またはシステムに使用するに適したネットワークエンティティであって、上記接続は、上記第１ネットワーク要素と第２ネットワーク要素との間のコールに対して確立されまたは変更され、上記接続は、ネットワークに配置された第３ネットワーク要素により確立されるようなネットワークエンティティにおいて、該ネットワークエンティティは、要求された形式の接続を確立するための許可を要求する許可要求を受信し、該許可要求は、上記第１ネットワーク要素、上記第２ネットワーク要素、確立されるべき接続又は接続形式のうちの少なくとも１つを指定し、該ネットワークエンティティは、接続又は接続形式を確立するための許可を指定する応答を返送するように構成されたことを特徴とするネットワークエンティティ。
【請求項７５】  ユーザに割り当てられた第１ネットワーク要素に対する接続を確立または変更するための方法またはシステムに使用するに適したネットワークエンティティであって、上記接続は、上記第１ネットワーク要素と第２ネットワーク要素との間のコールに対して確立されまたは変更されるようなネットワークエンティティにおいて、該ネットワークエンティティは、接続パラメータのチェックを要求するチェック要求を別のネットワーク要素から受信し、該チェック要求は、確立されるべき接続および接続形式のうちの少なくとも１つを指定し、該ネットワークエンティティは、上記接続パラメータのチェックを行い、接続または接続形式を確立するのに使用するチェック結果を指定する応答を上記別のネットワーク要素へ返送するように構成されていることを特徴とするネットワークエンティティ。
【請求項７６】  コール状態制御ファンクション又はポリシー制御ファンクション（ＰＣＦ）又はコール処理サーバー（ＣＰＳ）である請求項７４または７５に記載のネットワークエンティティ。
【請求項７７】  上記許可要求は、上記第１ネットワーク要素に対するＰＤＰコンテクストをアクチベート又は変更するための許可を要求する要求である請求項７４に記載のネットワークエンティティ。
【請求項７８】  上記許可要求は、ＩＭＳＩ／ＭＳＩＳＤＮ、ＰＤＰアドレス、要求されたＱｏＳまたは上記第２ネットワーク要素のアドレスのうちの少なくとも１つを含む請求項７４に記載のネットワークエンティティ。
【請求項７９】  上記応答は、コール特性、上記第２ネットワーク要素に関する受け入れられた情報、及び上記接続が通常のコールであるか非常コールであるかを示す指示のうちの少なくとも１つを示す請求項７４に記載のネットワークエンティティ。